(57)【要約】【課題】需要者に対して内容物の説明や広告等の所定の表示を強く印象付けることができる、飲料用容器を提供すること。【解決手段】上端に開口を有する首部と該首部から下方に向かって拡径する肩部と該肩部から下方に延びる胴部と該胴部の下端と接続する底部とを有する容器本体と、該容器本体の該肩部に設けられた画像表示体と、を有する飲料用容器であって、該画像表示体が、第１の角度から観察した際に視認できる一方で、第２の角度から観察した際には視認できないように構成された第１の画像を含む、飲料用容器。【選択図】図１
2020125119.tif 000002
【特許請求の範囲】
【請求項１】
上端に開口を有する首部と該首部から下方に向かって拡径する肩部と該肩部から下方に延びる胴部と該胴部の下端と接続する底部とを有する容器本体と、該容器本体の該肩部に設けられた画像表示体と、を有する飲料用容器であって、
該画像表示体が、第１の角度から観察した際に視認できる一方で、第２の角度から観察した際には視認できないように構成された第１の画像を含む、飲料用容器。
【請求項２】
前記容器本体の形成材料が、ポリエチレンテレフタレートを含む、請求項１に記載の飲料用容器。
【請求項３】
前記画像表示体が、互いに平行に配置された複数の半円柱状レンズを含むレンチキュラーレンズと、該半円柱状レンズの凸面側と反対側に設けられたレンチキュラー画像とを有する、レンチキュラーレンズ表示体であって、
該レンチキュラー画像が、対応する半円柱状レンズを介して前記第１の角度から観察した際に前記第１の画像を表示するように配置された第１の画像帯群と前記第２の角度から観察した際に第２の画像を表示するように配置された第２の画像帯群とを有する、請求項１または２に記載の飲料用容器。
【請求項４】
前記第２の画像が、透明無地画像であり、
前記第１の画像が、前記容器本体に充填される飲料と同色または同系色の画像である、請求項３に記載の飲料用容器。
【請求項５】
前記画像表示部が、基材層とその上に所定の間隔を空けて設けられた複数の画像形成用凸部とを有し、
該画像形成用凸部が、画像形成層とその上に積層された被覆層とを有し、
前記第１の角度から観察した際に、該画像形成層が前記第１の画像を形成するように、該画像形成用凸部が配置されている、請求項１または２に記載の飲料用容器。
【請求項６】
前記基材層が、無色透明であり、
前記被覆層が、前記容器本体に充填される飲料と同色または同系色である、請求項５に記載の飲料用容器。
【発明の詳細な説明】
【技術分野】
【０００１】
本発明は、飲料用容器に関する。
【背景技術】
【０００２】
従来、飲料用容器の側面には、内容物を説明する、購買意欲を喚起する等の目的で、種々の文字、絵柄、写真等が模様として付されている。近年では、エンボス加工等によって表面に凹凸を付けることにより模様に立体感をもたせることや、ステレオホログラム等の光学的手法を利用して模様を立体的に視認させることが行われており、これらの手法によれば、需要者に対して、当該模様を強く印象付けることができる（例えば、特許文献１および２）。
【先行技術文献】
【特許文献】
【０００３】
【特許文献１】特開平１０−３２９８３１号公報
【特許文献２】特開平１０−２５４３３８号公報
【発明の概要】
【発明が解決しようとする課題】
【０００４】
本発明の主たる目的は、需要者に対して内容物の説明や広告等の所定の表示を強く印象付けることができる飲料用容器を提供することにある。
【課題を解決するための手段】
【０００５】
本発明の１つの局面によれば、上端に開口を有する首部と該首部から下方に向かって拡径する肩部と該肩部から下方に延びる胴部と該胴部の下端と接続する底部とを有する容器本体と、該容器本体の該肩部に設けられた画像表示体と、を有する飲料用容器であって、該画像表示体が、第１の角度から観察した際に視認できる一方で、第２の角度から観察した際には視認できないように構成された第１の画像を含む、飲料用容器が提供される。
１つの実施形態において、上記容器本体の形成材料が、ポリエチレンテレフタレートを含む。
１つの実施形態において、上記画像表示体が、互いに平行に配置された複数の半円柱状レンズを含むレンチキュラーレンズと、該半円柱状レンズの凸面側と反対側に設けられたレンチキュラー画像とを有する、レンチキュラーレンズ表示体であって、該レンチキュラー画像が、対応する半円柱状レンズを介して上記第１の角度から観察した際に上記第１の画像を表示するように配置された第１の画像帯群と上記第２の角度から観察した際に第２の画像を表示するように配置された第２の画像帯群とを有する。
１つの実施形態において、上記第２の画像が、透明無地画像であり、上記第１の画像が、上記容器本体に充填される飲料と同色または同系色の画像である。
１つの実施形態において、上記画像表示部が、基材層とその上に所定の間隔を空けて設けられた複数の画像形成用凸部とを有し、該画像形成用凸部が、画像形成層とその上に積層された被覆層とを有し、上記第１の角度から観察した際に、該画像形成層が上記第１の画像を形成するように、該画像形成用凸部が配置されている。
１つの実施形態において、上記基材層が、無色透明であり、上記被覆層が、上記容器本体に充填される飲料と同色または同系色である。
【発明の効果】
【０００６】
本発明によれば、需要者に対して内容物の説明や広告等の所定の表示を強く印象付けることができる飲料用容器が提供される。
【図面の簡単な説明】
【０００７】
【図１】（Ａ）は、本発明の１つの実施形態による飲料用容器の概略正面図であり、（Ｂ）は、（Ａ）に示す飲料用容器の概略底面図である。
【図２】（Ａ）は、本発明の別の実施形態による飲料用容器の概略正面図であり、（Ｂ）は、（Ａ）に示す飲料用容器の概略底面図である。
【図３】視線角度を説明する概略図である。
【図４】本発明に用いられ得るレンチキュラーレンズ表示体の構成の一例を説明する概略図である。
【図５】図４に示すレンチキュラーレンズ表示体の要部の概略拡大図であり、符号１〜７は観察者の視線を示す。
【図６】本発明に用いられ得るレンチキュラーレンズ表示体の構成の別の例を説明する概略図である。
【図７】図６に示すレンチキュラーレンズ表示体の要部の概略拡大図であり、符号１〜７は観察者の視線を示す。
【図８】本発明の１つの実施形態における画像表示体の構成の一例を説明する概略図であり、符号１〜６は観察者の視線を示す。
【図９】本発明の１つの実施形態における画像表示体の構成の一例を説明する概略図であり、符号１〜９は観察者の視線を示す。
【発明を実施するための形態】
【０００８】
以下、本発明の好ましい実施形態による飲料用容器を説明するが、本発明はこれらの実施形態には限定されない。
【０００９】
本発明の飲料用容器は、上端に開口を有する首部と、該首部から下方に向かって拡径する肩部と、該肩部から下方に延びる胴部と、該胴部の下端と接続する底部とを有する容器本体と、該容器本体の該肩部に設けられた画像表示体と、を有し、該画像表示体が、第１の角度から観察した際に視認できる一方で、第２の角度から観察した際には視認できないように構成された第１の画像を含む。
【００１０】
Ａ．飲料用容器の全体構成
図１（Ａ）は、画像表示体が設けられた方向を正面方向とした場合における、本発明の１つの実施形態による飲料用容器の概略正面図であり、図１（Ｂ）は、図１（Ａ）に示す飲料用容器の概略底面図である。飲料用容器１００ａは、上端に開口１１を有する首部１２と、首部１２から下方に向かって拡径する肩部１３と、肩部１３から下方に延びる胴部１４と、胴部１４の下端と接続する底部１５とを有する容器本体１０と、肩部１３に設けられた画像表示体２０とを有する。底部１５は、略正方形状であり、肩部１３および胴部１４はそれぞれ、平面状に成形されている。当該実施形態において、容器本体１０は、横断面が略正方形の角柱状の容器である。
【００１１】
図２（Ａ）は、画像表示体が設けられた方向を正面方向とした場合における、本発明の別の実施形態による飲料用容器の概略正面図であり、図２（Ｂ）は、図２（Ａ）に示す飲料用容器の概略底面図である。飲料用容器１００ｂは、上端に開口１１を有する首部１２と、首部１２から下方に向かって拡径する肩部１３と、肩部１３から下方に延びる胴部１４と、胴部１４の下端と接続する底部１５とを有する容器本体１０と、肩部１３に設けられた画像表示体２０とを有する。底部１５は、略円形状であり、肩部１３および胴部１４はそれぞれ、曲面的に成形されている。当該実施形態において、容器本体１０は、横断面が略円形の円筒状の容器である。
【００１２】
代表的には、上記飲料用容器は、容器本体内に飲料が充填され、首部に設けられた雄ネジに螺合可能な雌ネジを備えた蓋体が、これらのネジの螺合により開口を塞ぐように装着される。
【００１３】
Ｂ．容器本体
容器本体の形状は、上記図示例に限定されず、本発明の効果が得られる範囲において、任意の適切な形状を有することができる。例えば、市販の飲料製品に用いられている樹脂製容器と同様の形状を有することができる。容器本体の容量は、例えば１８０ｍＬ〜１０００ｍＬ、好ましくは２５０ｍＬ〜６００ｍＬである。
【００１４】
容器本体は、代表的には透明であり、好ましくは無色透明である。容器本体は、例えば１０％以下、好ましくは５％以下のヘイズを有する。ヘイズは、ＪＩＳ  Ｋ  ７１３６に準拠して測定することができる。
【００１５】
容器本体を形成する材料としては、例えば、ポリエチレンテレフタレート、ポリエチレン、ポリプロピレン等の熱可塑性樹脂が挙げられる。好ましくは、容器本体は、ポリエチレンテレフタレートを主材料とするペットボトルである。容器本体は、ブロー成形法等の公知の成形法によって製造することができる。
【００１６】
容器本体に充填される飲料としては、特に限定されるものではなく、例えば、飲料水、清涼飲料水、果汁飲料、茶、コーヒー、ココア、アルコール飲料、乳飲料等が挙げられる。
【００１７】
Ｃ．画像表示体
画像表示体２０は、第１の角度から観察した際に視認可能であり、第２の角度から観察した際に視認されないように構成された第１の画像を含み、代表的には、第２の角度から観察した際に視認可能に構成された第２の画像をさらに含む。画像表示体は、第３の角度から観察した際に視認可能に構成された第３の画像をさらに含んでいてもよい。この場合、第２の画像と第３の画像とは、同じ画像であってもよく、異なる画像であってもよい。なお、本明細書において、「第１の角度」、「第２の角度」および「第３の角度」はそれぞれ、観察者（例えば、飲食者）が画像表示体をその上下方向において観察した際の視線角度であり、観察者（例えば、飲食者）が画像表示体をその上下方向において観察した際の視線（Ｖ）方向と画像表示体の法線（Ｚ）方向とのなす角度（図３において、θ１で示される角度）を意味する。このような画像表示体によれば、飲食者が画像表示体を第２の角度から観察した際（例えば、容器本体を正面方向から観察した際）には、第２の画像が視認され、第１の角度から観察した際（例えば、容器本体の開口に口をつけた際、または、口をつけてある程度飲み進めた際等）に初めて第１の画像が視認されることから、飲食者に第１の画像を強く印象付けることができる。なお、本明細書においては、便宜上、首部側（上側）から観察した際の視線角度を正の値として表記し、胴部側（下側）から観察した際の視線角度を負の値として表記する。
【００１８】
第１の角度、第２の角度および第３の角度はそれぞれ、容器本体の形状、表示目的等に応じて適切に設定され得る。なお、これらの角度はそれぞれ、特定の角度のみを意味するのではなく、ある程度の角度範囲を含み得る（すなわち、特定の視線角度においてのみ第１の画像が視認されてもよく、視線角度をある程度の範囲で変化させた際に第１の画像が継続的に視認されてもよい）。例えば、第１の角度は、０°〜７０°の範囲内、具体的には１０°〜７０°、２０°〜６０°または３０°〜５０°の範囲内の任意の角度または任意の角度範囲（例えば４０°以内、３０°以内、２０°以内または１０°以内の角度範囲）であってよい。第２の角度および第３の角度は、第１の角度を除いた角度範囲で、目的に応じて適切に設定され得る。１つの実施形態において、第２の角度は、容器本体を正面方向および／または胴部側から観察した際の角度（例えば−９０°以上２０°未満、−９０°以上 １０°未満、−９０°以上０°未満の範囲内）であり、第３の角度は、第１の角度に応じ０°〜７０°の範囲で適宜設定し得る角度であり、容器本体の開口に口を付けている状態で視認可能な角度のうち、第１の角度範囲を超える角度（例えば３０°を超え７０°以下、４０°を超え７０°以下、５０°を超え７０°以下の範囲内）であり得る。例えば第１の角度が３０°〜５０°の場合には、第３の角度は、５０°を超え７０°以下の範囲内に設定され得る。
【００１９】
画像表示体の寸法は、目的に応じて適切に設定される。画像表示体の上下方向の長さは、例えば、容器本体の肩部の長さを超えない範囲であり、また、横方向の長さは、例えば、肩部の周長の２分の１を超えない範囲である。
【００２０】
Ｃ−１．第１の実施形態
第１の実施形態においては、画像表示体として、レンチキュラーレンズ表示体が用いられる。図４は、本発明に用いられ得るレンチキュラーレンズ表示体の構成の一例を説明する概略図であり、図５は、その要部の概略拡大図である。レンチキュラーレンズ表示体３０は、互いに平行に配置された複数の半円柱状レンズ３１を含むレンチキュラーレンズ３２と、該半円柱状レンズの凸面側と反対側（平坦面側）に設けられたレンチキュラー画像３４とを有する。レンチキュラーレンズ表示体は、半円柱状レンズが延びる方向が横方向（図１（Ａ）または図２（Ａ）の左右方向）となるように容器本体の肩部に配置される。
【００２１】
Ｃ−１−１．レンチキュラーレンズ
レンチキュラーレンズは、複数の半円柱状レンズが互いに平行に配置された構成を有し、光透過性を有する樹脂によって形成されている。
【００２２】
上記光透過性を有する樹脂としては、例えば、ポリメチルメタクリレート（ＰＭＭＡ）、ポリカーボネート、ポリスチレン、メタクリレート-スチレン共重合樹脂（ＭＳ樹脂）、アクリロニトリル-スチレン共重合樹脂（ＡＳ樹脂）、ポリプロピレン、ポリエチレン、ポリエチレンテレフタレート、グリコール変性ポリエチレンテレフタレート、ポリ塩化ビニル（ＰＶＣ）、熱可塑性エラストマー、またはこれらの共重合体、シクロオレフィン等が挙げられる。これらの樹脂は、単独で、または、２種以上を組み合わせて用いられ得る。
【００２３】
レンチキュラーレンズの厚みおよび線数は、第１の角度から見た場合に第１の画像が視認されるように適切に設定される。レンズの厚みは、例えば０．１０ｍｍ〜５．００ｍｍであり、好ましくは０．２０ｍｍ〜２．５０ｍｍであり得る。レンズの線数は、例えば１０Ｌｐｉ〜３００Ｌｐｉであり、好ましくは１５Ｌｐｉ〜２００Ｌｐｉ、より好ましくは１５Ｌｐｉ〜１００Ｌｐｉであり得る。一般に、レンズ厚みを小さくすることおよび／または線数を少なくすることにより、視野角を広くすることができ、結果として、低い視線方向から（大きい視線角度（θ１）で）第１の画像を視認することができる。
【００２４】
Ｃ−１−２．レンチキュラー画像
図４および図５に示す実施形態において、レンチキュラー画像３４は、半円柱状レンズ３１の延びる方向と平行に配置された第１の画像帯３４Ａと第２の画像帯３４Ｂとを含む。レンチキュラーレンズ３２がＮ個の半円柱状レンズ３１を備える場合、第１の画像帯３４Ａおよび第２の画像帯３４Ｂはそれぞれ、レンチキュラーレンズ表示体によって表示させる第１の画像および第２の画像を帯状にＮ個に分割したものである。これらの画像帯は、ｎ番目の半円柱状レンズ３１ｎの平坦面側の対応する位置にｎ番目の第１の画像帯３４Ａｎおよび第２の画像帯３４Ｂｎが配置されるように、半円柱状レンズのレンズピッチに合わせて交互に配置される（Ｎは、２以上の整数であり、ｎは１以上Ｎ以下の整数である）。
【００２５】
具体的には、上記図示例において、第１の画像帯３４Ａｎは、対応する半円柱状レンズ３１ｎを介して第１の角度（例えば、視線１または２）から観察した際に第１の画像を表示するように配置されている。同様に、第２の画像帯３４Ｂｎは、対応する半円柱状レンズ３１ｎを介して第２の角度（例えば、視線３〜７）から観察した際に第２の画像を表示するように配置されている。上述のとおり、第１の角度は、比較的低い視線方向からの角度（比較的大きいθ１）であり得、また、第２の角度範囲に比べて狭い範囲であり得ることから、図示例では、第１の画像帯３４Ａｎは、半円柱状レンズ３１ｎを介して表示される領域の幅方向中心Ｃよりも飲食者から遠方側（胴部側）に配置され、かつ、第２の画像帯３４Ｂｎよりも狭幅に設定されている。第２の画像帯Ｂｎの幅に対する第１の画像帯Ａｎの幅の割合は、例えば２０％〜９５％とすることができる。
【００２６】
１つの実施形態においては、第２の画像が透明無地画像（無色透明）であり、第１の画像が容器本体に充填される飲料と同色または同系色の画像である。当該実施形態によれば、無色透明の容器本体に飲料が充填された状態においては、第２の画像が実質的に容器本体に充填された飲料と同色無地の画像として視認され、また、飲料と第１の画像とが同色または同系色であることから、観察角度に関わらず第１の画像または第２の画像を背景から識別し難くなる一方で、飲料を飲み進めるにつれて、背景色が変化することから第１の角度から第１の画像を良好に視認することができる。なお、同系色としては、例えば、明度または彩度だけが異なる色の組み合わせ、トーンは異なるが同じ色相の色の組み合わせ、または、トーンは同じで、色相上隣り合う色の組み合わせを挙げることができる。
【００２７】
第１の実施形態は上記図示例に限定されない。第１の実施形態に用いられ得るレンチキュラーレンズ表示体の構成の別の例を説明する概略図およびその要部の概略拡大図をそれぞれ図６および図７に示す。図６および図７に示すレンチキュラーレンズ表示体によれば、レンチキュラー画像３４は、半円柱状レンズ３１の延びる方向と平行に配置された第１の画像帯３４Ａと第２の画像帯３４Ｂと第３の画像帯３４Ｃとを含む。レンチキュラーレンズ３２がＮ個の半円柱状レンズ３１を備える場合、第１の画像帯３４Ａ、第２の画像帯３４Ｂおよび第３の画像帯３４Ｃはそれぞれ、レンチキュラーレンズ表示体によって表示させる第１の画像、第２の画像および第３の画像を帯状にＮ個に分割したものである。これらの画像帯は、ｎ番目の半円柱状レンズ３１ｎの平坦面側の対応する位置にｎ番目の第１の画像帯３４Ａｎ、第２の画像帯３４Ｂｎおよび第３の画像帯３４Ｃｎが配置されるように、半円柱状レンズのレンズピッチに合わせて所定の順序で配置される（Ｎは、２以上の整数であり、ｎは１以上Ｎ以下の整数である）。
【００２８】
上記変形例において、第１の画像帯３４Ａｎは、対応する半円柱状レンズ３１ｎを介して第１の角度（例えば、視線２）から観察した際に第１の画像を表示するように配置されている。同様に、第２の画像帯３４Ｂｎは、対応する半円柱状レンズ３１ｎを介して第２の角度（例えば、視線３〜７）から観察した際に第２の画像を表示するように配置されており、第３の画像帯３４Ｃｎは、対応する半円柱状レンズ３１ｎを介して第３の角度（例えば、視線１）から観察した際に第３の画像を表示するように配置されている。当該変形例によれば、飲食者が開口から飲料を飲み始めた際には第３の画像が視認され、飲み進めると第１の画像が視認され、さらに飲み進めると第２の画像を視認することができる。
【００２９】
１つの実施形態においては、第２の画像および第３の画像が透明無地画像（無色透明）であり、第１の画像が容器本体に充填される飲料と同色または同系色の画像である。当該実施形態によれば、無色透明の容器本体に飲料が充填された状態においては、第２の画像および第３の画像が実質的に容器本体に充填された飲料と同色無地の画像として視認され、また、飲料と第１の画像とが同色または同系色であることから、観察角度に関わらず第１の画像、第２の画像および第３の画像を背景から識別し難くなる一方で、飲料を飲み進めるにつれて、背景色が変化することから第１の角度から第１の画像を良好に視認することができる。
【００３０】
上記第１の実施形態に適用可能なレンチキュラーレンズ表示体は、上記図示例に限定されず、特開２００３−９４７９０号公報、ＷＯ２０１７／０６１３４１等に記載のレンチキュラーレンズ表示体を参照することができる。
【００３１】
レンチキュラーレンズ表示体は、例えば、レンチキュラー印刷法、樹脂フィルムに鋳型を熱プレスする方法等によってレンチキュラーレンズを作製し、該レンチキュラーレンズの平坦面にレンチキュラー画像を直接形成（例えば、印刷）することによって得られ得る。あるいは、紙、樹脂フィルム等の基材表面にレンチキュラー画像を印刷し、当該印刷面とレンチキュラーレンズの平坦面とが対向するように基材とレンチキュラーレンズとを貼り合わせることによっても得られ得る。
【００３２】
レンチキュラーレンズ表示体は、例えば任意の適切な接着層（接着剤層または粘着剤層）を介して容器本体に貼り合わせられる。
【００３３】
Ｃ−２．第２の実施形態
第２の実施形態において用いられる画像表示体は、基材層とその上に所定の間隔を空けて設けられた複数の画像形成用凸部とを有する。図８は、当該実施形態における画像表示体の構成の一例を説明する概略図である。画像表示体２０は、基材層２２とその上に所定の間隔を空けて設けられた複数の画像形成用凸部２４とを有し、画像形成用凸部２４が、画像形成層２４ａとその上に積層された被覆層２４ｂとを有する。複数の画像形成層２４ａは、いわゆる点描画のように、第１の角度から観察された際に全体として、第１の画像を形成し得る。また、被覆層２４ｂは、第２の角度から画像形成層２４ａを視認できないように被覆するものであり、不透明膜または反射膜であり得る。
【００３４】
図８に示す画像表示体２０において、複数の画像形成用凸部２４は、第１の角度から観察した際に、画像形成層２４ａが全体として第１の画像を表示するように配置されている。このように配置することにより、第２の角度（例えば、視線４〜６）においては、被覆層２４ｂが視認され、第１の角度（例えば、視線１〜３）から観察した際には第１の画像が視認され得る。
【００３５】
図９に示す実施形態においては、画像形成層２４ａの開口側の反対側（胴部側）にも被覆層２４ｃが設けられる。このような構成によれば、胴部側から観察した場合（例えば、視線７〜９）であっても、第１の画像が視認されることを防止できる。
【００３６】
画像形成用凸部の間隔、画像形成層および被覆層の厚みは、目的に応じて適切に設定され得る。画像形成層の厚みは、例えば１μｍ〜５０μｍであり得る。被覆層の厚みは、例えば０．１μｍ〜３０μｍであり得る。また、画像形成用凸部の間隔は、例えば画像形成用凸部の厚み以上であり、好ましくは１μｍ〜１００μｍであり得る。
【００３７】
画像形成用凸部は、例えば、基材層上に画像形成層および被覆層をこの順に印刷することによって形成され得る。基材層としては、紙、樹脂フィルム等が用いられ得る。第１の画像を強く印象付ける観点から、光透過性の樹脂フィルムを基材層として用いることが好ましい。あるいは、容器本体を基材層として、容器本体の表面に直接画像形成用凸部を印刷してもよい。
【００３８】
１つの実施形態において、基材層が無色透明であり、被覆層が容器本体に充填される飲料と同色または同系色を有する不透明膜であり、画像形成層が被覆層から識別可能な第１の画像を形成する。このような構成によれば、無色透明の容器本体に飲料が充填された状態において、所定の視線角度（第１の角度）から観察した際には第１の画像（例えば、被覆層と異なる色の画像）を良好に視認できる一方で、それ以外の視線角度（第２の角度）からは主として被覆層が視認される。ここで、被覆層は飲料と同色または同系色を有することから、被覆層の視認性は低く抑えられる。よって、第１の角度を飲食者が飲料を飲む際の視線角度とすることにより、当該飲食者に良好に第１の画像を視認させることができる。
【００３９】
上記第２の実施形態に適用可能な画像表示体は、上記図示例に限定されず、特開２０１０−２４７４６０号公報、特開２０１７−１５４４３８公報等に記載の画像表示体を参照することができる。
【産業上の利用可能性】
【００４０】
本発明は、飲料製品の製造において好適に用いられ得る。
【符号の説明】
【００４１】
１０      容器本体
２０      画像表示体
３０      レンチキュラーレンズ表示体
１００    飲料用容器
【図１】
2020125119.tif 000003
【図２】
2020125119.tif 000004
【図３】
2020125119.tif 000005
【図４】
2020125119.tif 000006
【図５】
2020125119.tif 000007
【図６】
2020125119.tif 000008
【図７】
2020125119.tif 000009
【図８】
2020125119.tif 000010
【図９】
2020125119.tif 000011